(57)【要約】【課題】複数のワークコイルを備えた電気炊飯器における複数のワークコイル同時駆動時の騒音を低減する。【解決手段】複数のワークコイルを備え、該複数のワークコイルが同時に駆動される加熱制御工程を備えてなる電気炊飯器において、各ワークコイルの駆動周波数を制御する制御手段を設け、上記複数のワークコイルが同時に駆動される場合には所定の条件が具備されている場合を除いて、当該同時に駆動される複数のワークコイル相互間の駆動周波数の差が可聴帯域以上の値になるように制御するようにした。【選択図】        図５
2005000348.tif 000002
【特許請求の範囲】
【請求項１】
複数のワークコイルを備え、該複数のワークコイルが同時に駆動される加熱制御工程を備えてなる電気炊飯器において、各ワークコイルの駆動周波数を制御する制御手段を設け、上記複数のワークコイルが同時に駆動される場合には所定の条件が具備されている場合を除いて、当該同時に駆動される複数のワークコイル相互間の発振周波数の差が所定の値以上となるようにしたことを特徴とする電気炊飯器。
【請求項２】
所定の値は、可聴帯域を超える周波数であることを特徴とする請求項１記載の電気炊飯器。
【請求項３】
所定の条件は、同時に駆動される各ワークコイル又は何れか一方のワークコイルの駆動電力が所定の値以下の場合であることを特徴とする請求項１又は２記載の電気炊飯器。
【請求項４】
所定の条件は、同時に駆動される各ワークコイル相互間の距離が所定距離以上離れている場合であることを特徴とする請求項１，２又は３記載の電気炊飯器。
【発明の詳細な説明】
【０００１】
【発明の属する技術分野】
本願発明は、複数のワークコイルを備えた電磁誘導加熱式の電気炊飯器の構成に関するものである。
【０００２】
【従来の技術】
従来、この種の電気炊飯器において、その複数のワークコイル、例えば飯器底部側第１のワークコイルＬ１と飯器側部側第２のワークコイルＬ２を駆動するに際しては、例えば図６の（ａ），（ｂ）に示すように、そのデューティー比を決めるｎ／Ｔ（秒）のＴ秒（Ｔは周期、ｎは周期Ｔ内での任意の時間）のカウント最初のタイミングで共にＯＮにし、メニューに応じて設定されたｎ秒の経過に対応してＯＦＦにするＯＮ，ＯＦＦ制御パターンが採用されていた。
【０００３】
ところが、このような構成の場合、同時に第１，第２の２組のワークコイルＬ１，Ｌ２に通電され、しかも第２のワークコイルＬ２は、その全ＯＮ期間ｎの全てが第１のワークコイルＬ１のＯＮ期間ｎと重複したものとなる。そのため、それら各ワークコイルＬ１，Ｌ２の発振周波数の差が、例えば可聴帯域（２０ｋＨｚ以内）である場合（Ｌ１４０ｋＨｚ−Ｌ２３０ｋＨｚ＝１０ｋＨｚの場合）、それ（１０ｋＨｚ）が使用者に聞こえてしまう問題がある。
【０００４】
このような問題を解決する１つの方法として、例えば図８に示すように、上記複数のワークコイルＬ１，Ｌ２の少なくともＯＮタイミングが重ならないように、常時ＯＮ，ＯＦＦ状態を切換えて個別に動作させることも可能である（例えば特許文献１参照）。
【０００５】
このような構成にすると、各ワークコイルＬ１，Ｌ２のＯＮ期間が重ならないために、各ワークコイルＬ１，Ｌ２相互間の発振周波数の差を問題にする必要がなくなる。
【０００６】
【特許文献１】
特開平８−１９６４１７号公報（第２頁〜第６頁、図１〜図６参照）
【０００７】
【発明が解決しようとする課題】
しかし、このような複数のワークコイルＬ１，Ｌ２各々のＯＮタイミングが重複しないように完全に切り換えてＯＮ，ＯＦＦ制御する構成では、何れかのワークコイルの加熱出力（デューティー比：ｎ／Ｔ）を大きくしようとすると、その分だけ他方のワークコイルの加熱出力（デューティー比：ｎ／Ｔ）が小さくなり、各ワークコイルＬ１，Ｌ２相互間の加熱出力のバランスを取ることが難しい。
【０００８】
特に、各ワークコイルＬ１，Ｌ２の加熱出力を相乗させたトータルの加熱出力を増大させようとしても、それができないために、十分な加熱性能のものを実現できない欠点がある。
【０００９】
本願発明は、このような問題を解決するためになされたもので、上述のように複数のワークコイルを同時に駆動するようにした場合においても、それらワークコイル相互間の発振周波数の差が所定値以上となるように、より具体的には可聴帯域の周波数よりも高くなるように制御して、可能な限りワークコイルの発振音を聞こえなくすることを目的とするものである。
【００１０】
【課題を解決するための手段】
本願発明は、このような目的を達成するために、次のような有効な課題解決手段を備えて構成されている。
【００１１】
（１）  第１の課題解決手段（請求項１の発明）
この発明の第１の課題解決手段は、複数のワークコイルを備え、該複数のワークコイルが同時に駆動される加熱制御工程を備えてなる電気炊飯器において、各ワークコイルの駆動周波数を制御する制御手段を設け、上記複数のワークコイルが同時に駆動される場合には所定の条件が具備されている場合を除いて、当該同時に駆動される複数のワークコイル相互間の駆動周波数の差が所定の値以上となるようにしたことを特徴としている。
【００１２】
このような構成によると、例えば複数のワークコイル合計の加熱出力が定格出力の範囲内になるように調整したり、何れか一方のワークコイルの出力を定格出力まで大きくしたりすることができ、各ワークコイル相互の加熱出力の調節が容易になり、より適切な加熱量制御が可能となる。
【００１３】
しかも、その上で、それら各ワークコイルの駆動周波数を制御する制御手段を設け、上記複数のワークコイルが同時に駆動される場合には、所定の条件が具備されている場合を除いて、当該同時に駆動される複数のワークコイル相互間の駆動周波数の差が所定の値以上となるようにしているので、各ワークコイル間の駆動周波数の差に基く発振音を聞こえなくすることができるようになる。
【００１４】
（２）  第２の課題解決手段（請求項２の発明）
この発明の第２の課題解決手段は、上記第１の課題解決手段の構成において、所定の値は、可聴帯域を超える周波数であることを特徴としている。
【００１５】
このように、上記制御される駆動周波数の差が、可聴帯域を超える周波数である場合には、より確実に使用者に聞こえないようにすることができる。
【００１６】
（３）  第３の課題解決手段（請求項３の発明）
この発明の第３の課題解決手段は、上記第１又は第２の課題解決手段の構成において、所定の条件は、同時に駆動される各ワークコイル又は何れか一方のワークコイルの駆動電力が所定の値以下の場合であることを特徴としている。
【００１７】
このように、同時に駆動される各ワークコイル又は何れか一方のワークコイルの駆動電力が所定の値以下の場合である場合には、それ自体の発振音も小さく、また両ワークコイル間の駆動周波数の差に基く発振音も小さいので、余り耳障りにもならない。
【００１８】
したがって、上述の駆動周波数の差を所定値以上にする制御は行わなくても足りる。
【００１９】
（４）  第４の課題解決手段（請求項４の発明）
この発明の第４の課題解決手段は、上記第１，第２又は第３の課題解決手段の構成において、所定の条件は、同時に駆動される各ワークコイル相互間の距離が所定距離以上離れている場合であることを特徴としている。
【００２０】
このように同時に駆動される各ワークコイル相互間の距離が所定距離以上離れている場合には、それらの間に駆動周波数の差があっても、各ワークコイルの発振音が相互に干渉せず、余り耳障りにもならない。
【００２１】
したがって、上述の駆動周波数の差を所定値以上にする制御は行わなくても足りる。
【００２２】
【発明の効果】
以上の結果、本願発明の電気炊飯器によると、ワークコイルの出力の大きさをトータルとして適切に調節しながら、しかも各ワークコイル間の駆動周波数の差による騒音を有効に低減することができる。従って、静音性能を向上させることができる。
【００２３】
【発明の実施の形態】
（実施の形態１）
図１〜図６は、複数のワークコイルを備えた本願発明の実施の形態１に係る電磁誘導加熱式の電気炊飯器の構成を示している。
【００２４】
（炊飯器本体および蓋ユニット部分の構成）
先ず図１は、同電気炊飯器の炊飯器本体および蓋ユニット部分の基本的な構成を示している。
【００２５】
すなわち、該電気炊飯器は、図１に示すように、全体として、内部に誘起されるうず電流によって自己発熱が可能なステンレス鋼材等の磁性金属材料（鉄系金属材料）よりなる飯器（内鍋）２と、該飯器２を任意に収納セットし得るように有底筒状に形成された合成樹脂製の内ケース（保護枠）４と、該内ケース４を保持する外装筺体である筒状の外ケース５と、該外ケース５と上記内ケース４とを結合一体化して上部が開口した有底筒状体に形成された炊飯器本体１の上部に、その開口部を覆って開閉可能に設けられた蓋ユニット３とから構成されている。
【００２６】
上記内ケース４の底壁部には、例えば半径方向の内側と外側に位置を異にして同心状に分巻された飯器加熱用の第１のワークコイルＬ１が設けられており、該第１のワークコイルＬ１は上記内ケース４内に収納された飯器２の底部２ａの中央面側と側面側を均一に加熱することによって、その全体を可能な限り均一に加熱し、効率良く炊飯を行うようになっている。また、同内ケース４の側壁部の上方寄り外面には、さらに炊飯、保温用の第２のワークコイルＬ２が設けられるようになっており、該第２のワークコイルＬ２は、炊飯、保温時において上記飯器２の側面部２ｂを加熱するようになっている。
【００２７】
また上記外ケース５は、例えば合成樹脂板で形成された上下方向に筒状のカバー部材と底部材よりなり、その肩部内側には、後述する蓋ユニット３内側の放熱板３２および飯器２の開口縁部２ｃを加熱するための加熱手段である肩ヒータＨがその周縁部３２ａに対応して設けられている。
【００２８】
一方、蓋ユニット３の蓋ユニット本体３１部分は、図示はしていないが、例えば合成樹脂製の外カバーと内カバーとからなり、その内部空間が中空の断熱構造体に形成されている。
【００２９】
そして、該蓋ユニット本体３１の下方には、上述した放熱板３２が例えば着脱可能に設けられている。また、同蓋ユニット本体３１の中央部には、上下両方向に貫通して調圧口が形成され、該調圧口に対して調圧ユニット３３が上方側から着脱可能に嵌合されている。
【００３０】
また、上記炊飯器本体１の前面部上方には、図示はしていないが所定の操作パネル部が設けられている。そして該操作パネル部には、例えば液晶表示部と、炊飯スイッチ、タイマー予約スイッチ、取消スイッチ、保温／再加熱スイッチ、おこげスイッチ、メニュー操作スイッチ、時スイッチ、分スイッチ等の各種操作スイッチ（そのタッチキー部分）が設けられている。
【００３１】
（炊飯器本体側制御回路部分の構成）
次に、図２は、上述のように構成された炊飯器本体１側の炊飯および保温制御用のマイコン制御ユニット１０を中心とする電気的な制御回路部分の構成を示す。
【００３２】
図中、符号１０が炊飯加熱制御手段、保温加熱制御手段、飯器温度判定手段、飯器検知手段、ブザー報知手段等を備えて構成されている炊飯・保温制御用のマイコン制御ユニット（ＣＰＵ）であり、該マイコン制御ユニット１０はマイクロコンピュータを中心として構成され、例えば飯器２の温度検知回路部、第１，第２のワークコイルＬ１，Ｌ２および肩ヒータＨの駆動制御回路部、飯器２の有無検知回路部、発振回路部、リセット回路部、保温ヒータ駆動制御回路部、ブザー報知部、電源回路部等を各々有して構成されている。
【００３３】
そして、先ず上記飯器（内鍋）２の底壁部２ａ側の温度検知センサ７に対応して設けられた温度検知回路４３には、例えば上記温度検知センサ７による飯器２の底壁部２ａの温度検知信号がそれぞれ入力されるようになっている。
【００３４】
また、上記第１，第２のワークコイル駆動制御回路部は、それぞれ例えば第１，第２のパルス発振回路４１Ａ，４１Ｂ、第１，第２の同期トリガー回路４０Ａ，４０Ｂ、第１，第２のＩＧＢＴ駆動回路４２Ａ，４２Ｂ、第１，第２のＩＧＢＴ３７Ａ，３７Ｂ、第１，第２のフィードバック回路３４Ａ，３４Ｂ、第１，第２の共振コンデンサ３８Ａ，３８Ｂ等によって形成されている。そして、上記マイコン制御ユニット１０の第１，第２のワークコイル駆動制御回路部により、上記第１，第２のパルス発振回路４１Ａ，４１Ｂを制御することにより、例えば図３のフローチャートおよび図４のタイムチャートに示す炊飯工程の各工程に応じて上記第１，第２のワークコイルＬ１，Ｌ２、肩ヒータＨのＯＮ，ＯＦＦ関係、およびＯＮ時のワット数、並びに同ワット数でのＯＮデューティー比（例えば前述のｎ秒／Ｔ秒）をそれぞれ適切に変えることによって、炊飯工程の各工程における飯器２の加熱温度と加熱パターンを判定された炊飯量を考慮して適切に可変コントロールし、均一な吸水作用と加熱ムラのない御飯の炊き上げ、その後の保温を実現するための適切な加熱出力制御が行われるようになっている。
【００３５】
そして、この実施の形態では、それらの場合において、例えば図６に示すように、上記第１，第２のワークコイルＬ１，Ｌ２は、個別に又は必要に応じて同時に駆動され、それら両出力が組合わされて所望の十分な大きさの加熱出力が得られるようになっており、例えば図３および図４に示す炊飯工程の各工程、吸水、昇温、炊き上げ（沸とう維持）、むらし、さらには保温の各々に対して、その要求加熱量に適した第１，第２のワークコイルＬ１，Ｌ２並びに肩ヒータＨの出力値およびＯＮ，ＯＦＦパターンが設定されるようになっている。
【００３６】
またマイコン制御ユニット１０の肩ヒータ駆動制御回路部により、肩ヒータ駆動回路２０を制御することにより、例えば炊飯又は保温工程において、肩ヒータＨの出力値および同出力値でのＯＮデューティー比（例えばｎ秒／１６秒）をそれぞれ適切に変えることによって、同炊飯又は保温工程の各工程における放熱板３２の加熱温度を適切に可変コントロールするようになっている。
【００３７】
また、符号２２ａ〜２２ｈは上述した操作パネル部の各種操作スイッチ群（炊飯スイッチ２２ａ、タイマー予約スイッチ２２ｂ、取消スイッチ２２ｃ、保温／再加熱スイッチ２２ｄ、おこげスイッチ２２ｅ、メニュー操作スイッチ２２ｆ、時スイッチ２２ｇ、分スイッチ２２ｈ）であり、同スイッチ群の必要なスイッチが適切に操作されると、上記マイコン制御ユニット１０側の認識手段によってユーザーの指示内容が認識され、その認識内容に応じて上述のような所望の炊飯又は保温加熱出力および加熱パターンを設定し、上記炊飯加熱制御手段又は保温加熱制御手段を適切に作動させて、所望の炊飯又は保温を行う。
【００３８】
また、符号１７はユーザーに炊飯の完了等を知らせるブザー報知回路、２１は上述の液晶表示部である。この液晶表示部２１には、上記各スイッチ２２ａ〜２２ｈのＯＮ操作に対応して所望のメニューや時刻等の必要事項が表示され、以後設定内容に応じた必要な表示がなされて行くようになっている。
【００３９】
さらに、符号３１は電源回路、３３はゼロクロス信号回路、３５は整流回路、３６は平滑コンデンサ、ＣＬはチョークコイルである。
【００４０】
（炊飯制御）
次に、図３のフローチャートおよび図４、図６のタイムチャートを参照して、上記マイコン制御ユニット１０による基本的な炊飯〜保温制御の内容について説明する。
【００４１】
すなわち、該制御は、同図３のフローチャートに示すように、炊飯スイッチ２２ａのＯＮにより同制御をスタートする。
【００４２】
そして、先ずステップＳ１で吸水工程に入り、例えば上記第１のワークコイルＬ１の加熱出力を１２００（Ｗ）、第２のワークコイルＬ２の加熱出力を２００（Ｗ）に各々セットし（これらの数値関係は、あくまでも一例である）、それらの合計出力が上述の許容定格出力１４００（Ｗ）以内となるように、第１，第２のワークコイルＬ１，Ｌ２、さらには肩ヒータＨを同時に駆動して飯器２の全体を吸水温度（４０〜４５℃）まで加熱する（図６のａ〜ｃの状態）。そして、その後、同加熱パターンで若干出力を調整しながら所定の吸水時間内、同吸水温度での吸水加熱が実行される。
【００４３】
次に、同吸水工程が終わると、次にステップＳ２に進んで上記第２のワークコイルＬ２をＯＦＦ、第１のワークコイルＬ１の出力を最大出力１４００（Ｗ）に設定し、高加熱出力が求められる合数判定までの第１の昇温加熱を実行する。そして、さらにステップＳ３に進んで、上記温度検知センサ７により飯器２の温度を検出し、同温度が所定の合数判定用基準温度以上となっているか否かを判定した上で、合数判定を行う。
【００４４】
そして、合数判定の結果（大量、中量、少量）に対応して、ステップＳ４の沸とう状態の第２の昇温加熱工程に進み、例えば第２のワークコイルＬ２ＯＦＦ、第１のワークコイルＬ１が最大出力１４００（Ｗ）の加熱パターンで昇温加熱を実行する。そして、その後、飯器２の温度が沸とう温度１００℃に達したことが検知されると、さらにステップＳ５の沸とう維持による炊き上げ工程に移行し、今度は上記第１，第２のワークコイルＬ１，Ｌ２の合計出力が１４００（Ｗ）以内の同時駆動によるＯＮ，ＯＦＦパターンで沸とう状態に維持する。この結果、やがて御飯が炊き上がる。
【００４５】
そこで、次に上記飯器２の温度が炊き上げ完了温度以上になったか否かを判定した後、ステップＳ６の「むらし工程」に移行し、該「むらし工程」が完了すると、「保温工程」を経て制御を終了する。
【００４６】
（同時駆動時における第１，第２のワークコイルの駆動制御方法）
次に図５は、例えば上述の吸水工程や沸とう維持工程等上記第１，第２のワークコイルＬ１，Ｌ２が同時に駆動される場合における低騒音での上記電気炊飯器の各ワークコイルＬ１，Ｌ２の駆動制御方法について示している。
【００４７】
該制御では、先ず最初にステップＳ１で、上記第１，第２の各ワークコイルＬ１，Ｌ２の駆動周波数（インバータ回路の発振周波数）を、それらの間の駆動周波数の差が可聴帯域２０ｋＨｚ以上の周波数（例えば２５ｋＨｚ）となるように、例えば第１のワークコイルＬ１を６０ｋＨｚ、第２のワークコイルＬ２を３５ｋＨｚに設定するとともに、それら各々の出力時間（図６のタイムチャートに示す１周期Ｔ時間中のＯＮ時間ｎ１，ｎ２：加熱時間）をそれぞれ所望の時間に設定する（但し、ｎ１＞ｎ２）。
【００４８】
そして、その後ステップＳ２で、それら第１，第２のワークコイルＬ１，Ｌ２を同時間ｎ１，ｎ２内上記各駆動周波数６０ｋＨｚ、３５ｋＨｚで駆動する。そして、それによって同第１，第２のワークコイルＬ１，Ｌ２の合計加熱出力（１２００Ｗ＋２００Ｗ）による加熱制御を実行する。また、それと同時に肩ヒータＨも所定の出力で駆動する。
【００４９】
次にステップＳ３で、飯器側面部２ｂ側の第２のワークコイルＬ２の設定加熱時間（ｎ２）が経過しているか否かを判定し、ＮＯの時はステップＳ４に進んで同第２のワークコイルＬ２を駆動し、または駆動を継続する。
【００５０】
他方、ＹＥＳの上記第２のワークコイルＬ２の設定加熱時間（ｎ２）が経過したＹＥＳの時は、ステップＳ５に進んで、上記第２のワークコイルＬ２をＯＦＦにする。
【００５１】
続いてステップＳ６に進み、上記肩ヒータＨの設定加熱時間が経過したか否かを判定し、ＮＯの時はステップＳ７に進んで肩ヒータＨをＯＮにし、またＯＮ状態を継続する。一方ＹＥＳになると、ステップＳ８に進んで肩ヒータＨの駆動を停止する。
【００５２】
次にステップＳ９で、上記第１のワークコイルＬ１の設定加熱時間ｎ１が経過したことが判定されると、続くステップＳ１０で同第１のワークコイルＬ１をＯＦＦにする。
【００５３】
この結果、図６のタイムチャートに示されるように、肩ヒータＨとともに飯器２の底部２ａ側第１のワークコイルＬ１（出力１２００Ｗ）と側面部２ｂ側第２のワークコイルＬ２（出力２００Ｗ）とが同時に駆動されることになり、合計の加熱出力１４００Ｗで、飯器２の全体が効率良く加熱されることになる（少なくとも第２のワークコイルＬ２の加熱時間ｎ２内）。しかも、上記第１，第２のワークコイルＬ１，Ｌ２の駆動周波数の差は、６０ｋＨｚ−３５ｋＨｚ＝２５ｋＨｚで、その差は可聴帯域の上限周波数２０ｋＨｚを超えているので、その差に基く発振音は聞こえない。
【００５４】
そして、次の周期で、再び以上と同様の第１，第２のワークコイルＬ１，Ｌ２の駆動制御（ステップＳ１〜Ｓ１０）が繰り返され、所定の時間（Ｎ×Ｔ・・・Ｎは制御回数）が経過すると、当該炊飯工程中の所定の工程における所定の目標飯器温度に到達する加熱制御が実現される。
【００５５】
以上のように、本願発明は、複数のワークコイルを備え、該複数のワークコイルが同時に駆動される加熱制御工程を備えてなる電気炊飯器において、各ワークコイルの駆動周波数を所望の値に設定制御する制御手段を設け、上記複数のワークコイルが同時に駆動される場合には所定の条件が具備されている場合を除いて、当該同時に駆動される複数のワークコイル相互間の駆動周波数の差が所定の値以上となるようにしたことを特徴としている。
【００５６】
このような構成によると、例えば複数のワークコイル合計の加熱出力が定格出力の範囲内になるように調整したり、何れか一方のワークコイルの出力を定格出力まで大きくしたりすることができ、各ワークコイル相互の加熱出力の調節が容易になり、より適切な加熱量制御が可能となる。
【００５７】
しかも、その上で、それら各ワークコイルの駆動周波数を所望の値に設定制御する制御手段を設け、上記複数のワークコイルが同時に駆動される場合には、所定の条件が具備されている場合を除いて、当該同時に駆動される複数のワークコイル相互間の駆動周波数の差が所定の値以上となるようにしているので、各ワークコイル間の駆動周波数の差に基く発振音を聞こえなくすることができるようになる。
【００５８】
また、本願発明は、上記の構成において、上記所定の値は、例えば具体的に可聴帯域（２０ｋＨｚ）を超える周波数であることを特徴としている。
【００５９】
このように、上記制御される駆動周波数の差が、可聴帯域（２０ｋＨｚ）を超える周波数である場合には、確実に使用者に聞こえないようにすることができる。
【００６０】
以上の結果、本願発明の電気炊飯器によると、ワークコイルの出力の大きさをトータルとして適切に調節しながら、しかも各ワークコイル間の駆動周波数の差による騒音を有効に低減することができる。従って、静音性能を向上させることができる。
【００６１】
（実施の形態２）
以上の実施の形態１の構成では、複数のワークコイルが第１，第２の２組のワークコイルＬ１，Ｌ２のみであり、それらが相互に飯器２の底部２ａと側面部２ｂという非常に近接した位置関係にあるものであった。
【００６２】
したがって、それらが同時に駆動され、それらの間の駆動周波数の差が可聴帯域の２０ｋＨｚ以内にあると、耳障りな発振音が生じる。
【００６３】
ところが、例えば図７に示すように、図１の構成における肩ヒータＨを第３のワークコイルＬ３に変更した場合における第１のワークコイルＬ１と該第３のワークコイルＬ３との関係においては、事情が異なる。すなわち、これら第１，第３のワークコイルＬ１，Ｌ３は同じく複数のワークコイルではあっても、相互間の設置距離が大きく離間しており、相互の磁界、発振音が影響し合わないので、上述のような可聴帯域内の耳障りな発振音は生じない。
【００６４】
したがって、これらの関係の場合には、仮に第１，第３のワークコイルＬ１，Ｌ３が同時に駆動されたとしても、上述のような駆動周波数の差を可変制御する必要はない。
【００６５】
これらの事情は、例えば上記第１，第２のワークコイルＬ１，Ｌ２、第２，第３のワークコイルＬ２，Ｌ３の各々又はそれらの内の何れか一方の駆動電力が所定値以下に小さい場合にも同様である。この場合には、問題となる相手側のワークコイルの発振音自体が小さく、相互の干渉を問題にしなくても足りる。
【００６６】
また、その場合の発振音の小ささの基準としては、送風音のマスキング作用によってワークコイルの発振音が聞こえなくなるファンの騒音レベルを基準として判定し、それよりも低くなるようにしてもよい。
【図面の簡単な説明】
【図１】本願発明の実施の形態に係る電気炊飯器の炊飯器本体部分全体の構成を示す図である。
【図２】同電気炊飯器の要部である第１，第２のワークコイルおよび肩ヒータ駆動制御回路部分の電気回路図である。
【図３】同電気炊飯器の通常炊飯時における基本的な制御動作を示すフローチャートである。
【図４】同電気炊飯器の炊飯工程における加熱温度の制御パターンを示すタイムチャートである。
【図５】同電気炊飯器の加熱工程における第１，第２のワークコイルおよび肩ヒータの加熱制御方法を示すフローチャートである。
【図６】同電気炊飯器の炊飯工程における第１，第２のワークコイルおよび肩ヒータのＯＮ，ＯＦＦパターンを示すタイムチャートである。
【図７】本願発明の実施の形態２に係る電気炊飯器の全体的な構成を示す図である。
【図８】従来の電気炊飯器の加熱工程における第１，第２のワークコイルのＯＮ，ＯＦＦパターンを示すタイムチャートである。
【符号の説明】
１は炊飯器本体、２は飯器、３は蓋ユニット、４は内ケース、５は外ケース、１０はマイコン制御ユニット、２０は肩ヒータ駆動回路、３７Ａは第１のＩＧＢＴ、３７Ｂは第２のＩＧＢＴ、３８Ａは第１の共振コンデンサ、３８Ｂは第２の共振コンデンサ、３０は商用電源、Ｌ１は第１のワークコイル、Ｌ２は第２のワークコイル、Ｌ３は第３のワークコイル、Ｈは肩ヒータである。
【図１】
2005000348.tif 000003
【図２】
2005000348.tif 000004
【図３】
2005000348.tif 000005
【図４】
2005000348.tif 000006
【図５】
2005000348.tif 000007
【図６】
2005000348.tif 000008
【図７】
2005000348.tif 000009
【図８】
2005000348.tif 000010